(57)【要約】【課題】天井と床面間に円弧状に湾曲する二重ガラスパネル構造の曲面仕切りパネル部を容易に形成しうるようにした間仕切パネル装置を提供する。【解決手段】平面視において円弧状に湾曲する二重ガラスパネル構造の曲面仕切りパネル部を有する間仕切パネル装置であって、天井Ｒに設けられた円弧状をなす上部パネル支持体２と、上部パネル支持体２と対向するように床面Ｆに設けられた円弧状をなす下部パネル支持体３と、上部パネル支持体２下部パネル支持体３との間に建付けされる前後１対の円弧状をなすガラスパネル５、５と、少なくとも下部パネル支持体３を床面Ｆに対し高さ調整可能に支持する複数の高さ調整機構１４とを備える。【選択図】図２
2020041292.tif 000002
【特許請求の範囲】
【請求項１】
平面視において円弧状に湾曲する二重ガラスパネル構造の曲面仕切りパネル部を有する間仕切パネル装置であって、
天井に設けられた円弧状をなす上部パネル支持体と、
前記上部パネル支持体と対向するように床面に設けられた円弧状をなす下部パネル支持体と、
前記上部パネル支持体と前記下部パネル支持体との間に建付けされる前後１対の円弧状をなすガラスパネルと、
少なくとも前記下部パネル支持体を前記床面に対し高さ調整可能に支持する複数の高さ調整機構と、
を備えることを特徴とする間仕切パネル装置。
【請求項２】
前記高さ調整機構は、前記下部パネル支持体の少なくとも長さ方向の両端部と中間部との３箇所に設けられていることを特徴とする請求項１に記載の間仕切パネル装置。
【請求項３】
少なくとも前記下部パネル支持体における前記１対のガラスパネル間の上面に、係合部材を長さ方向に沿って複数個取付け、該複数個の係合部材に円弧状のカバー部材を係合させて取付けたことを特徴とする請求項１または２に記載の間仕切パネル装置。
【請求項４】
前記上部パネル支持体と前記下部パネル支持体とに、前記１対のガラスパネルに沿う形状のガラス押えを長さ方向に沿って複数取付けたことを特徴とする請求項１ないし３のいずれかに記載の間仕切パネル装置。
【請求項５】
前記上部パネル支持体と前記下部パネル支持体の前後両面に、係合部材を長さ方向に沿って複数個取付け、該複数個の係合部材に、前記１対のガラスパネルにおける上下両端部の前面及び後面を被覆する円弧状のサイドカバー部材を係合させて取り付けたことを特徴とする請求項１ないし４のいずれかに記載の間仕切パネル装置。
【発明の詳細な説明】
【技術分野】
【０００１】
本発明は、天井と床面間に円弧状に湾曲する二重ガラスパネル構造の曲面仕切りパネル部を有する間仕切パネル装置に関する。
【背景技術】
【０００２】
例えば特許文献１には、天井と床面にそれぞれ設けられた直線状の上部パネル支持体と下部パネル支持体との間に、前後１対の透明なガラスパネルが建付けされた二重ガラスパネル構造の間仕切パネル装置が開示されている。この間仕切パネル装置においてガラスパネルを建付けするには、まず、ガラスパネルの上方を上部パネル支持体側に傾斜させた状態で保持し、ガラスパネルの上端部を上部パネル支持体に形成された挿入溝に下方より挿入する。次いで、ガラスパネルの下端が下部パネル支持体に近接するように回動させ、下部パネル支持体の上面にガラスパネルを垂直に落とし込む。この作業を上下のパネル支持体の前後両方向から行うことにより、上部パネル支持体と下部パネル支持体との間に、前後１対のガラスパネルが建付けされる（特許文献１の図６参照）。
【先行技術文献】
【特許文献】
【０００３】
【特許文献１】特開２０１７−８９２３０号公報（第５頁、第６図）
【発明の概要】
【発明が解決しようとする課題】
【０００４】
特許文献１に記載の二重ガラスパネル構造の間仕切パネル装置は、天井や床面に対するパネル支持体の高さ(水平度)調整の容易性やガラスパネルの建付けの容易性などを考慮して、上下のパネル支持体を直線状とするとともに、平板状のガラスパネルが使用されている。しかし近年、例えば建物内の天井と床面との間の空間を方形状に仕切って区画する間仕切パネル装置においては、外観的な美感や意匠性などを考慮して、コーナー部に円弧状に湾曲する曲面仕切りパネル部を有する二重ガラスパネル構造の間仕切パネル装置を施工することが考えられている。この際には、曲面仕切りパネル部を形成するための円弧状に湾曲する上下１対のパネル支持体を天井と床面に設け、それらの間に、円弧状に湾曲する前後１対のガラスパネルを建付けする必要があるが、天井や床面に対する円弧状のパネル支持体の高さ調整の問題や、上下のパネル支持体への円弧状のガラスパネルの建付け性の問題などから、円弧状に湾曲する曲面仕切りパネル部を有する二重ガラスパネル構造の間仕切パネル装置を施工することが困難であった。
【０００５】
本発明は、このような問題点に着目してなされたもので、天井と床面間に円弧状に湾曲する二重ガラスパネル構造の曲面仕切りパネル部を容易に形成しうるようにした間仕切パネル装置を提供することを目的とする。
【課題を解決するための手段】
【０００６】
前記課題を解決するために、本発明の間仕切パネル装置は、
平面視において円弧状に湾曲する二重ガラスパネル構造の曲面仕切りパネル部を有する間仕切パネル装置であって、天井に設けられた円弧状をなす上部パネル支持体と、前記上部パネル支持体と対向するように床面に設けられた円弧状をなす下部パネル支持体と、前記上部パネル支持体と前記下部パネル支持体との間に建付けされる前後１対の円弧状をなすガラスパネルと、少なくとも前記下部パネル支持体を前記床面に対し高さ調整可能に支持する複数の高さ調整機構と、を備えることを特徴としている。
この特徴によれば、円弧状をなす下部パネル支持体を複数の高さ調整機構により水平となるように高さ調整することができるので、上下のパネル支持体及びガラスパネルが円弧状に湾曲していても、ガラスパネルを傾斜させることなく、垂直に保持した状態で前後方向から上下のパネル支持体間に建付けすることができる。従って、天井と床面間に二重ガラスパネル構造の曲面仕切りパネル部を容易に形成することができる。
【０００７】
前記高さ調整機構は、前記下部パネル支持体の少なくとも長さ方向の両端部と中間部との３箇所に設けられていることを特徴としている。
この特徴によれば、両端部と中間部との３箇所に設けられている高さ調整機構により、下部パネル支持体の床面に対する高さ(水平度)を容易に調整することができる。また、下部パネル支持体は、両端部と中間部の少なくとも３箇所の高さ調整機構により床面に支持されるので、下部パネル支持体により円弧状をなすガラスパネルの下端を安定よく支持することができる。
【０００８】
少なくとも前記下部パネル支持体における前記１対のガラスパネル間の上面に、係合部材を長さ方向に沿って複数個取付け、該複数個の係合部材に円弧状のカバー部材を係合させて取付けたことを特徴としている。
この特徴によれば、円弧状をなすカバー部材を、円弧状をなす下部パネル支持体の上面に容易に取付けることができるとともに、カバー部材により高さ調整機構を隠蔽して美感を高めることができる。
【０００９】
前記上部パネル支持体と前記下部パネル支持体とに、前記１対のガラスパネルに沿う形状のガラス押えを長さ方向に沿って複数取付けたことを特徴としている。
この特徴によれば、ガラスパネルの上下両端を上下のパネル支持体の対向面に当接させるようにして建付けした後、複数のガラス押えを取付けてガラスパネルを外れ止めすることができるので、円弧状をなす上下のパネル支持体間ヘのガラスパネルの建付け性が良好となる。
【００１０】
前記上部パネル支持体と前記下部パネル支持体の前後両面に、係合部材を長さ方向に沿って複数個取付け、該複数個の係合部材に、前記１対のガラスパネルにおける上下両端部の前面及び後面を被覆する円弧状のサイドカバー部材を係合させて取り付けたことを特徴としている。
この特徴によれば、円弧状のサイドカバー部材を、円弧状をなす上下のパネル支持体の前後両面に容易に取付けることができるとともに、サイドカバー部材によりガラス押えを隠蔽することができ、美感に優れる。
【図面の簡単な説明】
【００１１】
【図１】本発明の実施例１に係る間仕切パネル装置のコーナー部付近を内側より見た斜視図である。
【図２】同じく、間仕切パネル装置の縦断面図である。
【図３】同じく、間仕切パネル装置の下部側の拡大縦断面図である。
【図４】同じく、間仕切パネル装置のコーナー部付近の下部パネル支持体を示す平面図である。
【図５】図４のＶ−Ｖ線に沿う拡大縦断面図である。
【図６】図４のＶＩ−ＶＩ線に沿う拡大縦断面図である。
【図７】ガラス押えを取付けた、本発明の実施例２に係る間仕切パネル装置の下部側の拡大縦断面図である。
【図８】サイドカバー部材を取付けた、実施例２に係る間仕切パネル装置の下部側の拡大縦断面図である。
【図９】第１の係合部材への装飾カバー部材の取付態様の変形例を示す縦断面図である。
【図１０】パネル支持部材への第１、第２の係合部材の取付態様の変形例を示す縦断面図である。
【発明を実施するための形態】
【００１２】
本発明に係る間仕切パネル装置を実施するための形態を実施例に基づいて以下に説明する。
【実施例１】
【００１３】
図１ないし図６は、実施例１に係る間仕切パネル装置１を示している。なお、以下においては、間仕切パネル装置１の外側(図２の左側)を前面側、内側(図２の右側)を後面側として説明する。本実施例の間仕切パネル装置１は、建物内の天井Ｒと床面Ｆとの間の空間をコーナー部が湾曲した方形状に仕切って区画するもので(図１は、方形をなす間仕切パネル装置のコーナー部付近のみを図示している)、天井Ｒに設けられた上部パネル支持体２と床面Ｆに設けられた下部パネル支持体３との間に、パネル体４を建付けして構成されている。
【００１４】
パネル体４は、前後１対のガラスパネル５、５よりなる二重ガラスパネル構造とされ、間仕切パネル装置１の対向する４面を形成する直線仕切りパネル部６と、四隅のコーナー部を形成する、平面視円弧状に湾曲する曲面仕切りパネル部７とにより構成されている。直線仕切りパネル部６及び曲面仕切りパネル部７のガラスパネル５は、幅方向に複数に分割され、互いに隣接するガラスパネル５、５の対向端同士は、例えばポリカーボネート等よりなる透明な合成樹脂製の連結部材８により連結されている。なお、前後二重のガラスパネル５、５は、それぞれ２枚の透明な板ガラス５ａ、５ａを重合して強化した合わせガラスとされている。
【００１５】
上部パネル支持体２及び下部パネル支持体３は、それぞれパネル体４の直線仕切りパネル部６の上下両端を支持する直線状パネル支持体９と曲面仕切りパネル部７の上下両端を支持する、曲面仕切りパネル部７と同一曲率の円弧状パネル支持体１０とからなっている(図１参照)。
【００１６】
上下の直線状パネル支持体９及び円弧状パネル支持体１０は、天井Ｒと床面Ｆとにアンカーボルト１１により対向状に固定されたベース部材１２、１２と、上下のベース部材１２、１２にそれぞれ下方及び上方より外嵌された上下のパネル支持部材１３、１３とにより構成されている。上部側のベース部材１２は下向きコ字状断面をなし、下部側のベース部材１２は上向コ字状断面をなしている。なお、上下のベース部材１２、１２は、それぞれ笠木及び幅木と称することもある。上下のベース部材１２、１２及びパネル支持部材１３、１３は、上下対称で同一形状をなし、直線状をなす上下のベース部材１２、１２及びパネル支持部材１３、１３は、例えばアルミニウム合金の押し出し成形により、押し出し成形が困難な円弧状をなす上下のベース部材１２、１２及びパネル支持部材１３、１３は、アルミダイカストにより形成されている。
【００１７】
図３に拡大して示すように、下部側のパネル支持部材１３は、中央部に形成された長さ方向に沿う上向きの膨出部１３ａと、この上向膨出部１３ａの幅方向の両端から前後両方向に延出する前後１対の水平をなすパネル支持部１３ｂ、１３ｂと、各パネル支持部１３ｂ、１３ｂの中間部下面から下向きに突出し、ベース部材１２に上方から外嵌される前後１対の嵌合部１３ｃ、１３ｃとを有し、両嵌合部１３ｃの上下方向の中間部の外面には、前方及び後方に突出する突条部１３ｄ、１３ｄが長さ方向に沿って形成されている。なお、上部側のパネル支持部材１３は、下部側のパネル支持部材１３と上下対称で同一形状をなし、上下反対向きとして設けられているので、下部側のパネル支持部材１３と同じ符号を付して、その詳細な説明を省略する。
【００１８】
上下のベース部材１２の内部には、上下のパネル支持部材１３、１３をそれぞれ天井Ｒ及び床面Ｆに対し高さ調整する高さ調整機構１４、１４が、長さ方向に沿って複数収容されている。下部側の高さ調整機構１４は、図５の断面図にも示すように、底面板１５ａがベース部材１２内の上面にアンカーボルト１１により共締めされた、前後両面が開口する矩形筒形の金属製支持基台１５と、この支持基台１５の上面板１５ｂの中央部下面に固着された溶接ナット１６と、上面板１５ｂを貫通して下端部が溶接ナット１６に螺合された上下方向を向くアジャスタボルト１７と、アジャスタボルト１７の上端部に形成された小径軸部１７ａに上方から嵌合して支持された受け板１８とにより構成されている。
【００１９】
受け板１８の上面には、パネル支持部材１３の膨出部１３ａの下面が載置、支持され、複数のボルト１９により固定されている。アジャスタボルト１７の小径軸部１７ａの上端部は、膨出部１３ａに形成された覗き孔２０に嵌合され、この覗き孔２０の上方から、小径軸部１７ａの上端面に形成されたすり割り溝２１にドライバ等を差し込んでアジャスタボルト１７を回転させることにより、床面Ｆに対しパネル支持部材１３の高さを調整することができる。なお、上部側のベース部材１２内には、下部側の高さ調整機構１４と同じ構成の高さ調整機構１４が上下反対向きに設けられており、下部側の高さ調整機構１４と異なる点は、上部側のパネル支持部材１３が高さ調整機構１４により吊支された構成(図２参照)になっているのみである。従って、下部側の高さ調整機構１４と共通する部材に同じ符号を付して、上部側の高さ調整機構１４についての詳細な説明は省略する。なお、高さ調整機構１４は上部側を省略して下部側のみとすることもできる。
【００２０】
図４は、間仕切パネル装置１のコーナー部付近の下部パネル支持体３を示すもので、円弧状パネル支持体１０を構成する円弧状のパネル支持部材１３の長さ方向の両端には、直線状パネル支持体９を構成する直線状のパネル支持部材１３、１３の長さ方向の一端が、下面側から連結金具２２により連結されている。
【００２１】
下部の円弧状をなすパネル支持部材１３の円弧に沿った長さ方向の両端部と中央部との３箇所には、前述した高さ調整機構１４が設けられている。これら３箇所の高さ調整機構１４により、円弧状をなすパネル支持部材１３の床面Ｆに対する高さ(水平度)を容易に調整することができる。また、パネル支持部材１３は、両端部と中央部との３箇所の高さ調整機構１４を介して床面Ｆに支持されるので、円弧状をなす前後のガラスパネル５の下端を安定よく支持することができる。なお、図示は省略するが、円弧状をなす上部側のパネル支持部材１３の両端部と中央部にも高さ調整機構１４が設けられており、これら上下３箇所の高さ調整機構１４により、上部側のパネル支持部材１３の天井Ｒに対する水平度も調整することができる。
【００２２】
上部パネル支持体２と下部パネル支持体３間にガラスパネル５、５を建付けするには、図２及び図３に示すように、上下の直線状をなすパネル支持部材１３及び円弧状をなすパネル支持部材１３の高さ(水平度)を、上述した複数の高さ調整機構１４により調整した後、上下の端面に接着シール部材２３、２３が取付けられたガラスパネル５、５を、前側のものは前方から、後側のものは後方から、それぞれ上部パネル支持体２と下部パネル支持体３に向かって平行に移動させ、上下の接着シール部材２３、２３を、上下のパネル支持部材１３、１３における上下に対向するパネル支持部１３ｂ、１３ｂ間に押し入れて接着、固定する。
【００２３】
この建付け作業は、上下のパネル支持部材１３の前後方向の中央部の下面と上面に、後述する装飾カバー部材２７を取付けた後に行われ、ガラスパネル５、５の上下両端部を装飾カバー部材２７の前面及び後面に当接させることにより、前後のガラスパネル５、５が位置決めされて垂直に建付けされる。また、上下のパネル支持部材１３のパネル支持部１３ｂは水平をなし、パネルの保持溝等を有していないので、ガラスパネル５を傾斜させて、けんどん式で建付けする必要がない。しかも、円弧状をなす上下のパネル支持部材１３は、それぞれ３個の高さ調整機構１４により水平に維持されているので、円弧状に湾曲するガラスパネル５であっても、ガラスパネル５を傾斜させることなく、垂直に保持した状態で円弧状をなす上下のパネル支持部材１３、１３間に容易に建付けすることができる。従って、天井Ｒと床面Ｆ間に二重ガラスパネル構造の曲面仕切りパネル部７を容易に形成することができる。
【００２４】
図４及び図６の拡大断面図に示すように、下部の円弧状をなすパネル支持部材１３の表面、すなわちパネル支持部材１３の中央部に形成された膨出部１３ａの上面には、最大外径が膨出部１３ａの幅寸法とほぼ等しい円盤形状の第１の係合部材２４が、長さ方向に沿って複数個(本実施例では４個)、膨出１３ａに形成された雌ねじ孔２５に上方から螺合した皿ねじ２６によって取り付けられている。なお、皿ねじ２６の代わりに、雌ねじ孔を形成しながら締め込むことが可能なドリルねじを用いてもよく、これを使用すれば、膨出部１３ａに雌ねじ孔２５を形成する工程を省くことができる。
【００２５】
第１の係合部材２４は、膨出部１３ａの上面に、図３に示すような装飾カバー部材(カバー部材)２７を取付けるのに用いられるもので、例えば合成樹脂または硬質ゴム等により形成されている。第１の係合部材２４は、外径が基端部(下端部)から先端部(上端部)に向かってテーパ状に縮径する台形断面をなすとともに、基端部の外周縁部には鍔状の係合部２４ａが形成されている。なお、このような第１の係合部材２４は、円弧状のパネル支持部材１３の両端部に連結される直線状のパネル支持部材１３、１３における膨出部１３ａの上面にも、長さ方向に沿って複数個取り付けられている。また、第１の係合部材２４は、図２に示すように、上部側の直線状パネル支持体９及び円弧状パネル支持体１０におけるパネル支持部材１３の下面にも複数個取り付けられている。
【００２６】
図６に示すように、円弧状をなすパネル支持部材１３の表面である前後両面、すなわちパネル支持部材１３の嵌合部１３ｃの前後両面に突設された突条部１３ｄ、１３ｄの前面及び後面には、基端部の外径が突条部１３ｄの上下寸法よりも大径をなす円盤形状の第２の係合部材２８、２８が、長さ方向に沿って複数個(本実施例では４個)、突条部１３ｄに形成された雌ねじ孔２９に前方及び後方から螺合した皿ねじ３０により取り付けられている。前後の第２の係合部材２８は互いに対向するように取付けられ、かつそれらの取付け位置は、第１の係合部材２４の取付け位置と一致させてある。なお、突条部１３ｄに雌ねじ孔２９を形成する工程を省くために、前述と同様、皿ねじ３０の代わりにドリルねじを使用してもよい。
【００２７】
前後の第２の係合部材２８は、図３に示すようなサイドカバー部材(カバー部材)３１、３１の取付けに用いられるもので、合成樹脂または硬質ゴム等により小径の円盤形状に形成されている。第２の係合部材２８は、外径が突条部１３ｄ側の基端部から先端部に向かってテーパ状に縮径するほぼ台形断面をなし、基端部の外周縁部は、突条部１３ｄの上下寸法よりも大径をなす係合部２８ａとなっている。なお、このような第２の係合部材２８は、円弧状のパネル支持部材１３の両端部に連結される直線状のパネル支持部材１３、１３における突条部１３ｄの前後両面にも、長さ方向に沿って複数個取り付けられている。また、第２の係合部材２８は、図２に示すように、上部側の直線状パネル支持体９及び円弧状パネル支持体１０におけるパネル支持部材１３の突条部１３ｄの前後両面にも複数個取り付けられている。
【００２８】
次に、図３を参照して、下部パネル支持体３への装飾カバー部材２７及びサイドカバー部材３１の取付け要領について説明する。なお、上部パネル支持体２ヘのカバー部材の取付けは、下部パネル支持体３と同じ要領で行われるので、上部側の取付けについての詳細な説明は省略する。
【００２９】
まず、装飾カバー部材２７の取付け要領について説明する。装飾カバー部材２７は、第１の係合部材２４に上方から嵌合可能な下向きコ字状断面をなし、長さ方向に沿って連続する前後１対の係合片２７ａ、２７ａの対向面の中間部には、第１の係合部材２４の係合部２４ａに前後２箇所において係合可能な凸状の被係合部２７ｂ、２７ｂが、前後に対向するように長さ方向に沿って突設されている。なお、装飾カバー部材２７は、例えばアルミニウム合金により形成され、直線状をなすパネル支持部材１３に取り付けられる直線状の装飾カバー部材２７は、押し出し成形により、円弧状をなすパネル支持部材１３に取り付けられる円弧状の装飾カバー部材２７は、押し出し成形が困難であるため、アルミダイカスト等により成形される。
【００３０】
装飾カバー部材２７をパネル支持部材１３の上面に取付けるには、前後のガラスパネル５、５を建付けする前において、装飾カバー部材２７の係合片２７ａ、２７ａを複数個の第１の係合部材２４に上方より嵌合させて押し込み、前後の被係合部２７ｂ、２７ｂを、第１の係合部材２４の係合部２４ａに、前後２箇所において係合させればよい。この際、第１の係合部材２４は、先端部に向かってテーパ状に縮径する台形断面をなしているので、前後の被係合部２７ｂが第１の係合部材２４の外周面に沿って押し込まれる際に、両係合片２７ａが弾性変形して拡開させられるので、被係合部２７ｂを係合部２４ａに容易に係合させることができる。なお、装飾カバー部材２７を取付けた際に、係合片２７ａの下端がパネル支持部１３ｂの上面に当接または近接するように、係合片２７ａの上下寸法を設定しておけば、装飾カバー部材２７が上下方向にがたつくのを防止することができる。装飾カバー部材２７の前後両面には、圧縮性の緩衝材３２が貼着され、ガラスパネル５の建付け時において装飾カバー部材２７との接触面に傷を付けるのが防止されるようになっている。
【００３１】
このように、本実施例においては、複数個取付けた第１の係合部材２４の係合部２４ａに、装飾カバー部材２７の前後の被係合部２７ｂを不連続的に係合させて、パネル支持部材１３に装飾カバー部材２７が取り付けられるので、装飾カバー部材２７の取付けや取外し作業及びメンテナンス作業を容易に行うことができる。また、第１の係合部材２４の取付け個数や取付け間隔を変更することにより、パネル支持部材１３への装飾カバー部材２７の取付強度を調整することができる。さらに、第１の係合部材２４の係合部２４ａに、装飾カバー部材２７の被係合部２７ｂを不連続的に係合させるので、装飾カバー部材２７が円弧状をなすものであっても、円弧状をなすパネル支持部材１３の上面に着脱可能に容易に取付けることができる。
【００３２】
パネル支持部材１３の中央部上面に装飾カバー部材２７を取付けることにより、高さ調整機構１４取付用のボルト１９やアジャスタボルト１７等が隠蔽されるので、間仕切パネル装置１の美感を高めることができる。
【００３３】
次に、サイドカバー部材３１の取付け要領について説明する。図３に示すように、前後のサイドカバー部材３１、３１は、パネル支持部材１３の突条部１３ｄとガラスパネル５の下端部とを覆いうる上下寸法の本体カバー部３１ａと、この本体カバー部３１ａにおけるパネル支持部材１３との対向面の下半部に突設された、第２の係合部材２８に嵌合される上下１対の係合片３１ｂ、３１ｂとを備え、両係合片３１ｂの先端部には、第２の係合部材２８の係合部２８ａに上下２箇所において係合可能な鉤状の被係合部３１ｃ、３１ｃが対向状に形成されている。サイドカバー部材３１は、例えばアルミニウム合金により形成され、直線状をなすパネル支持部材１３に取り付けられる直線状のサイドカバー部材３１は、押し出し成形により、円弧状をなすパネル支持部材１３に取り付けられる円弧状のサイドカバー部材３１は、押し出し成形が困難であるため、アルミダイカスト等により成形される。
【００３４】
サイドカバー部材３１をパネル支持部材１３の前後の面に取付けるには、前後のガラスパネル５、５を建付けした後において、サイドカバー部材３１の係合片３１ｂ、３１ｂを、複数個の第２の係合部材２８に前後方向から嵌合させて押し込み、上下１対の被係合部３１ｃ、３１ｃを、第２の係合部材２８の基端部外周縁の係合部２８ａに、上下２箇所において係合させればよい。この際、第２の係合部材２８は、先端部に向かってテーパ状に縮径するほぼ台形断面をなしているので、上下の被係合部３１ｃが第２の係合部材２８の外周面に沿って押し込まれる際に、上下の係合片３１ｂが弾性変形して拡開させられるので、被係合部３１ｃを係合部２８ａに容易に係合させることができる。なお、サイドカバー部材３１を取付けた際に、上下の係合片３１ｂの先端がパネル支持部材１３の嵌合部１３ｃの外側面に当接または近接するように、係合片３１ｂの前後寸法を設定しておけば、サイドカバー部材３１が前後方向にぐらつくのが防止される。本体カバー部３１ａにおけるガラスパネル５との対向面には、ガラスパネル５に傷を付けるのを防止する圧縮性の緩衝材３２が貼着されている。
【００３５】
このように、サイドカバー部材３１においても、前述した装飾カバー部材２７の取付構造と同様に、複数個の第２の係合部材２８の係合部２８ａに、サイドカバー部材３１の被係合部３１ｃを不連続的に係合させて取付けられるので、パネル支持部材１３へのサイドカバー部材３１の取付けや取外し作業及びメンテナンス作業を容易に行うことができる。また、前述と同様に、第２の係合部材２８の取付け個数や取付け間隔を変更することにより、パネル支持部材１３へのサイドカバー部材３１の取付強度を調整することができるとともに、サイドカバー部材３１が円弧状をなすものであっても、円弧状をなすパネル支持部材１３の前後両面に容易に取付けることができる。
【００３６】
このようなサイドカバー部材３１を取付けることにより、パネル支持部材１３の前後両面及びパネル支持部材１３へのガラスパネル５の建付け部が前後のサイドカバー部材３１により体裁よく隠蔽されるので、間仕切パネル装置１の美感を高めることができる。また、前後のサイドカバー部材３１は、パネル支持部１３ｂからの前後のガラスパネル５の脱落を防止する機能も有している。
【実施例２】
【００３７】
次に、図７及び図８を参照して、実施例２に係る間仕切パネル装置について説明する。なお、前記実施例１と同様の部材には同じ符号を付して、その詳細な説明は省略する。また、上部パネル支持体２を省略し、下部パネル支持体３のみ図示する。
【００３８】
実施例２に係る間仕切パネル装置においては、パネル支持部材１３のパネル支持部１３ｂからのガラスパネル５の脱落を確実に防止するために、パネル支持部材１３における前後の突条部１３ｄ、１３ｄに、ガラスパネル５に沿う形状の金属製のガラス押え３３、３３を、長さ方向に沿って複数個取付けたものである。前後のガラス押え３３、３３はクランク状断面をなし、それぞれガラスパネル５の下端部の前面及び後面を押さえる上向きの押さえ片３３ａと、パネル支持部材１３の突条部１３ｄに固定される下向きの固定片３３ｂとを備えている。固定片３３ｂは、第２の係合部材２８の取付け位置とは異なる位置において、突条部１３ｄに形成された雌ねじ孔３４にボルト３５を螺合させて取り付けられている。押さえ片３３ａにおけるガラスパネル５との対向面には、ガラスパネル５に傷を付けるのを防止する圧縮性の緩衝材３６が貼着されている。
【００３９】
実施例２に係る間仕切パネル装置においては、ガラスパネル５の上下両端を上下のパネル支持部材１３におけるパネル支持部１３ｂの対向面に当接させるように建付けした後、複数のガラス押え３３を取付けてガラスパネル５を外れ止めすることができるので、円弧状に湾曲するガラスパネル５であっても、円弧状をなす上下のパネル支持部材１３間に容易に建付けすることができる。また、ガラスパネル５の上下の端部と上下のパネル支持部材１３とを係合させる保持部等を、それぞれガラスパネル５及びパネル支持部材１３に設ける必要がないので、円弧状のパネル支持部材を含むパネル支持部材１３全体の構造が簡素化し、製造コストが低減する。
【００４０】
図８は、ガラス押え３３を取付けた場合のサイドカバー部材の取付態様を示すもので、この場合、パネル支持部材１３の前後の突条部１３ｄには、前述した第２の係合部材２８及びサイドカバー部材３１とは形状の若干異なる第２の係合部材３７及びサイドカバー部材３８が用いられる。すなわち、第２の係合部材３７は、基端部に形成された、突条部１３ｄに外嵌される凹状嵌合部３７ａと、前後方向の中間部の外周面に形成された環状溝３７ｂと、環状溝３７ｂと連続するように先端部寄りの外周面に形成された鍔状の係合部３７ｃとを備え、前述と同様、円盤形状に形成されている。第２の係合部材３７の先端部は、サイドカバー部材３８の取付けを容易とするためにテーパ状に縮径させてある。第２の係合部材３７は、前述と同様、突条部１３ｄに形成された雌ねじ孔２９に前後方向から螺合した皿ねじ３０により複数個取り付けられている。
【００４１】
サイドカバー部材３８、３８は、パネル支持部材１３の突条部１３ｄとガラスパネル５の下端部及びガラス押え３３を覆いうる本体カバー部３８ａと、第２の係合部材３７に嵌合される、前後寸法の異なる上下１対の係合片３８ｂ、３８ｂとを備え、上部の短寸をなす係合片３８ｂの先端部と、下部の長寸をなす係合片３８ｂの中間部とには、第２の係合部材３７の係合部３７ｃに上下２箇所において係合可能な被係合部３８ｃ、３８ｃが対向状に突設されている。なお、上部の係合片３８ｂは、ガラス押え３３と干渉しない寸法とされ、下部の係合片３８ｂは、第２の係合部材３７の下面を覆いうる寸法とされている。
【００４２】
サイドカバー部材３８を取付けるには、ガラス押え３３を取付けた後において、上下の係合片３８ｂ、３８ｂを複数個の第２の係合部材３７に前後方向から嵌合させて押し込み、上下１対の被係合部３８ｃ、３８ｃを、第２の係合部材３７の係合部３７ｃに、上下２箇所において係合させればよい。なお、上部の係合片３８ｂを短寸としてあるため、サイドカバー部材３８を先に取り付けたガラス押え３３に当接させることなく取付けることができる。このようなサイドカバー部材３８を取付けることにより、パネル支持部材１３の突条部１３ｄとガラスパネル５の下端部及びガラス押え３３を体裁よく隠蔽することができ、間仕切パネル装置の美感が高まる。
【００４３】
以上、本発明の間仕切パネル装置を実施例１及び２に基づいて説明したが、具体的な構成はこれらの実施例に限定されるものではなく、発明の要旨を逸脱しない範囲内で、次のような種々の変形や変更があっても、本発明に含まれる。
【００４４】
例えば、前記実施例では、取付け時に方向性を考慮する必要がないように、第１の係合部材２４及び第２の係合部材２８、３７を円盤形状としてあるが、装飾カバー部材２７及びサイドカバー部材３１、３８の１対の被係合部２７ｂ、３１ｃ、３８ｃがそれぞれ係合する係合部を有するものであれば、例えば多角形など、非円形をなす形状であってもよい。
【００４５】
また、前記実施例では、装飾カバー部材２７の係合片２７ａに設けた凸状の被係合部２７ｂを、第１の係合部材２４の鍔状の係合部２４ａに係合させて、第１の係合部材２４に装飾カバー部材２７を取付けているが、図９に示すように、装飾カバー部材２７の係合片２７ａ、２７ａに、互いに対向する凹溝状の被係合部２７ｃ、２７ｃを設け、両被係合部２７ｃを、第１の係合部材２４の基部外周縁に突設された凸状の係合部２４ｂに係合させるようにしてもよい。このような係合形態は、図８に示すサイドカバー部材３８と第２の係合部材３７との係合にも適用することが可能である。
【００４６】
さらに、前記実施例では、第１、第２の係合部材２４、２８を、それぞれ皿ねじ２６、３０によりパネル支持部材１３に取付けているが、図１０に示すようにして取付けてもよい。すなわち、パネル支持部材１３の膨出部１３ａの上面に、長さ方向に沿って連続する逆ハ字形断面をなすあり溝状の嵌合溝３９を設け、この嵌合溝３９に、装飾カバー部材２７の下面に突設した、嵌合溝３９の断面形状と補形をなす断面形状の突部４０を、膨出部１３ａの長さ方向の一端から嵌合して、装飾カバー部材２７を取付ける。サイドカバー部材２８についても、パネル支持部材１３の突条部１３ｄに設けたあり溝状の嵌合溝３９に、サイドカバー部材２８に突設した突部４０を嵌合させて、サイドカバー部材２８を取付ける。このような取付形態とすると、雌ねじ孔や取付ねじが不要となるだけでなく、第１、第２の係合部材２４、２８を長さ方向の任意の位置に移動させることができる。なお、嵌合後の第１、第２の係合部材２４、２８が長さ方向に妄りに移動することのないように、嵌合溝３９と突部４０との嵌合代を若干きつめにすることが好ましい。
【００４７】
さらに、間仕切パネル装置によって区画する形態として、コーナー部が湾曲した方形状である例について説明したがこの形状に限られず、コーナー部が湾曲したＬ字形状、半円形状、円形状等であってもよい。
【符号の説明】
【００４８】
１                間仕切パネル装置
２                上部パネル支持体
３                下部パネル支持体
４                パネル体
５                ガラスパネル
６                直線仕切りパネル部
７                曲面仕切りパネル部
８                連結部材
９                直線状パネル支持体
１０              円弧状パネル支持体
１１              アンカーボルト
１２              ベース部材
１３              パネル支持部材
１３ａ            膨出部
１３ｂ            パネル支持部
１３ｃ            嵌合部
１３ｄ            突条部
１４              高さ調整機構
１５              支持基台
１５ａ            底面板
１５ｂ            上面板
１６              溶接ナット
１７              アジャスタボルト
１７ａ            小径軸部
１８              受け板
１９              ボルト
２０              覗き孔
２１              すり割り溝
２７              装飾カバー部材(カバー部材)
３１              サイドカバー部材(カバー部材)
３１ａ            本体カバー部
３１ｂ            係合片
３１ｃ            被係合部
３２              緩衝材
３３              ガラス押え
３３ａ            押さえ片
３３ｂ            固定片
３４              雌ねじ孔
３５              ボルト
３６              緩衝材
【図１】
2020041292.tif 000003
【図２】
2020041292.tif 000004
【図３】
2020041292.tif 000005
【図４】
2020041292.tif 000006
【図５】
2020041292.tif 000007
【図６】
2020041292.tif 000008
【図７】
2020041292.tif 000009
【図８】
2020041292.tif 000010
【図９】
2020041292.tif 000011
【図１０】
2020041292.tif 000012